(57)【要約】【課題】無線通信システムにおけるハンドオーバ失敗事象を適切に判定することを図る。【解決手段】基地局がUEに送信したHO Commandメッセージに対するAck信号を受信するHO Command Ack受信部１１と、該受信したHO Command Ack信号に含まれるC-RNTIを記憶する記憶部１２と、前記基地局が受信したRLF Indicationメッセージに含まれるC-RNTIと記憶部１２に記憶されるC-RNTIとの比較結果に基づいて、ハンドオーバ失敗事象「Too Late HO」又は「Too Early HO」を判定する判定部１３と、を備える。【選択図】図１
2015037280.tif 000002
【特許請求の範囲】
【請求項１】
無線通信システムにおけるハンドオーバ失敗事象を判定するハンドオーバ失敗事象判定装置において、
基地局が通信端末に送信したハンドオーバ通知メッセージに対する応答確認信号（ハンドオーバ通知応答確認信号）を受信するハンドオーバ通知応答確認受信部と、
前記ハンドオーバ通知応答確認受信部が受信したハンドオーバ通知応答確認信号に含まれる通信端末の識別子を記憶する記憶部と、
前記基地局が受信した通信断通知メッセージに含まれる通信端末の識別子と、前記記憶部に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定部と、
を備えたことを特徴とするハンドオーバ失敗事象判定装置。
【請求項２】
ハンドオーバ失敗事象「ハンドオーバタイミングが遅すぎることが原因のハンドオーバ失敗」であると判定する条件は、一定時間以降に通信断通知メッセージの受信有り、且つ、ハンドオーバ通知応答確認信号の受信無しである、ことを特徴とする請求項１に記載のハンドオーバ失敗事象判定装置。
【請求項３】
前記判定部は、一定時間以降に通信断通知メッセージの受信有り、且つ、ハンドオーバ通知応答確認信号の受信有りの場合には、ハンドオーバ失敗事象「ハンドオーバタイミングが早すぎることが原因のハンドオーバ失敗」であると判定する、ことを特徴とする請求項１又は２に記載のハンドオーバ失敗事象判定装置。
【請求項４】
前記判定部は、一定時間以降に通信断通知メッセージの受信有り、且つ、ハンドオーバ通知応答確認信号の受信有りの場合に、ハンドオーバ失敗事象を判定しない、ことを特徴とする請求項１又は２に記載のハンドオーバ失敗事象判定装置。
【請求項５】
無線通信システムにおけるハンドオーバ失敗事象を判定するハンドオーバ失敗事象判定装置において、
基地局が通信端末に送信したハンドオーバ通知メッセージに対する応答確認信号（ハンドオーバ通知応答確認信号）を受信するハンドオーバ通知応答確認受信部と、
前記ハンドオーバ通知応答確認受信部が受信したハンドオーバ通知応答確認信号に含まれる通信端末の識別子を記憶する記憶部と、
前記基地局が通信断を検知した通信端末の識別子と、前記記憶部に記憶される通信端末の識別子との比較結果に基づいて、「通信断」又はハンドオーバ失敗事象「ハンドオーバタイミングが早すぎることが原因のハンドオーバ失敗」を判定する判定部と、
を備えたことを特徴とするハンドオーバ失敗事象判定装置。
【請求項６】
ハンドオーバ失敗事象「ハンドオーバタイミングが早すぎることが原因のハンドオーバ失敗」であると判定する条件は、通信断の検知有りである通信端末が前記基地局への再接続を完了した場合において、当該通信端末からのハンドオーバ通知応答確認信号の受信有りである、ことを特徴とする請求項５に記載のハンドオーバ失敗事象判定装置。
【請求項７】
無線通信システムにおけるハンドオーバ失敗事象を判定するハンドオーバ失敗事象判定装置において、
基地局が通信端末に送信したハンドオーバ通知メッセージに対する応答確認信号（ハンドオーバ通知応答確認信号）を受信するハンドオーバ通知応答確認受信部と、
前記ハンドオーバ通知応答確認受信部が受信したハンドオーバ通知応答確認信号に含まれる通信端末の識別子を記憶する記憶部と、
前記基地局が一定時間以降に通信断通知メッセージを受信したことによってハンドオーバ失敗事象「ハンドオーバタイミングが遅すぎることが原因のハンドオーバ失敗」と判定されると、前記通信断通知メッセージに含まれる通信端末の識別子と前記記憶部に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定部と、
を備えたことを特徴とするハンドオーバ失敗事象判定装置。
【請求項８】
ハンドオーバ失敗事象「ハンドオーバタイミングが遅すぎることが原因のハンドオーバ失敗」であると判定する条件は、ハンドオーバ通知応答確認信号の受信無しである、ことを特徴とする請求項７に記載のハンドオーバ失敗事象判定装置。
【請求項９】
無線通信システムにおけるハンドオーバ失敗事象を判定するハンドオーバ失敗事象判定装置において、
基地局が通信端末に送信したハンドオーバ通知メッセージに対する応答確認信号（ハンドオーバ通知応答確認信号）を受信するハンドオーバ通知応答確認受信部と、
前記ハンドオーバ通知応答確認受信部が受信したハンドオーバ通知応答確認信号に含まれる通信端末の識別子を記憶する記憶部と、
前記基地局が通信断を検知した通信端末が前記基地局への再接続を完了したことによって「通信断」と判定されると、前記通信端末の識別子と前記記憶部に記憶される通信端末の識別子との比較結果に基づいて、「通信断」又はハンドオーバ失敗事象「ハンドオーバタイミングが早すぎることが原因のハンドオーバ失敗」を判定する判定部と、
を備えたことを特徴とするハンドオーバ失敗事象判定装置。
【請求項１０】
ハンドオーバ失敗事象「ハンドオーバタイミングが早すぎることが原因のハンドオーバ失敗」であると判定する条件は、ハンドオーバ通知応答確認信号の受信有りである、ことを特徴とする請求項９に記載のハンドオーバ失敗事象判定装置。
【請求項１１】
請求項１から１０のいずれか１項に記載のハンドオーバ失敗事象判定装置を備え、
前記ハンドオーバ失敗事象判定装置の判定結果をハンドオーバパラメータの調整に用いることを特徴とするハンドオーバパラメータ調整装置。
【請求項１２】
請求項１、２、３、４、７、８のいずれか１項に記載のハンドオーバ失敗事象判定装置を備え、
前記ハンドオーバ失敗事象判定装置の判定結果のうちハンドオーバ失敗事象「ハンドオーバタイミングが遅すぎることが原因のハンドオーバ失敗」のみをハンドオーバパラメータの調整に用いることを特徴とするハンドオーバパラメータ調整装置。
【請求項１３】
請求項１、２、３、４、７、８のいずれか１項に記載のハンドオーバ失敗事象判定装置を備え、
前記ハンドオーバ失敗事象判定装置の判定結果がハンドオーバ失敗事象「ハンドオーバタイミングが早すぎることが原因のハンドオーバ失敗」に相当する場合に、初期アクセスチャネルパラメータの調整を行うことを特徴とする初期アクセスチャネル調整装置。
【請求項１４】
無線通信システムにおけるハンドオーバ失敗事象を判定するハンドオーバ失敗事象判定処理を行うためのコンピュータプログラムであって、
基地局が通信端末に送信したハンドオーバ通知メッセージに対する応答確認信号（ハンドオーバ通知応答確認信号）を受信するハンドオーバ通知応答確認受信ステップと、
前記ハンドオーバ通知応答確認受信ステップで受信したハンドオーバ通知応答確認信号に含まれる通信端末の識別子を記憶手段に記憶する記憶ステップと、
前記基地局が受信した通信断通知メッセージに含まれる通信端末の識別子と、前記記憶手段に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定ステップと、
をコンピュータに実行させるためのコンピュータプログラム。
【請求項１５】
無線通信システムにおけるハンドオーバ失敗事象を判定するハンドオーバ失敗事象判定処理を行うためのコンピュータプログラムであって、
基地局が通信端末に送信したハンドオーバ通知メッセージに対する応答確認信号（ハンドオーバ通知応答確認信号）を受信するハンドオーバ通知応答確認受信ステップと、
前記ハンドオーバ通知応答確認受信ステップで受信したハンドオーバ通知応答確認信号に含まれる通信端末の識別子を記憶手段に記憶する記憶ステップと、
前記基地局が通信断を検知した通信端末の識別子と、前記記憶手段に記憶される通信端末の識別子との比較結果に基づいて、「通信断」又はハンドオーバ失敗事象「ハンドオーバタイミングが早すぎることが原因のハンドオーバ失敗」を判定する判定ステップと、
をコンピュータに実行させるためのコンピュータプログラム。
【請求項１６】
無線通信システムにおけるハンドオーバ失敗事象を判定するハンドオーバ失敗事象判定処理を行うためのコンピュータプログラムであって、
基地局が通信端末に送信したハンドオーバ通知メッセージに対する応答確認信号（ハンドオーバ通知応答確認信号）を受信するハンドオーバ通知応答確認受信ステップと、
前記ハンドオーバ通知応答確認受信ステップで受信したハンドオーバ通知応答確認信号に含まれる通信端末の識別子を記憶手段に記憶する記憶ステップと、
前記基地局が一定時間以降に通信断通知メッセージを受信したことによってハンドオーバ失敗事象「ハンドオーバタイミングが遅すぎることが原因のハンドオーバ失敗」と判定されると、前記通信断通知メッセージに含まれる通信端末の識別子と前記記憶手段に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定ステップと、
をコンピュータに実行させるためのコンピュータプログラム。
【請求項１７】
無線通信システムにおけるハンドオーバ失敗事象を判定するハンドオーバ失敗事象判定処理を行うためのコンピュータプログラムであって、
基地局が通信端末に送信したハンドオーバ通知メッセージに対する応答確認信号（ハンドオーバ通知応答確認信号）を受信するハンドオーバ通知応答確認受信ステップと、
前記ハンドオーバ通知応答確認受信ステップで受信したハンドオーバ通知応答確認信号に含まれる通信端末の識別子を記憶手段に記憶する記憶ステップと、
前記基地局が通信断を検知した通信端末が前記基地局への再接続を完了したことによって「通信断」と判定されると、前記通信端末の識別子と前記記憶手段に記憶される通信端末の識別子との比較結果に基づいて、「通信断」又はハンドオーバ失敗事象「ハンドオーバタイミングが早すぎることが原因のハンドオーバ失敗」を判定する判定部と、
をコンピュータに実行させるためのコンピュータプログラム。
【発明の詳細な説明】
【技術分野】
【０００１】
本発明は、ハンドオーバ失敗事象判定装置、ハンドオーバパラメータ調整装置、初期アクセスチャネル調整装置、およびコンピュータプログラムに関する。
【背景技術】
【０００２】
標準化団体の3GPP（3rd Generation Partnership Project）でLTE（Long Term Evolution）システムと呼ばれるセルラシステムが標準化されている。LTEシステムにおいて、通信端末（User Equipment：UE）が接続する基地局（接続基地局）を切り替える動作であるハンドオーバ（Handover：HO）は、UEが送信した測定レポート（Measurement Report：MR）メッセージを基地局が受信することを契機にして実行される。
【０００３】
図８は、LTEシステムにおけるHO手順を示すシーケンス図である。図８を参照して、LTEシステムにおけるHO手順を説明する。HO元のセル（Source Cell）がセルＡであり、HO先のセル（Target Cell）がセルＢである。
【０００４】
ステップＳ１０１：UEは、各セルからの「Cell-Specific Reference Signal（Cell-Specific RS）」を受信し、MR送信判定を行う。MR送信判定については非特許文献１に記載されている。
【０００５】
ステップＳ１０２：UEは、MR送信判定の結果に基づいてMRメッセージを、接続基地局（セルＡ）へ送信する。
【０００６】
ステップＳ１０３、Ｓ１０４：基地局（セルＡ）は、UEからのMRメッセージを受信すると、HOを決定し、HO先の基地局（セルＢ）へHO requestメッセージを送信する。
【０００７】
ステップＳ１０５、Ｓ１０６：HO先の基地局（セルＢ）は、HO元の基地局（セルＡ）からのHO requestメッセージを受信すると、「Admission Control」を行い、HO元の基地局（セルＡ）へHO request Ackメッセージを送信する。
【０００８】
ステップＳ１０７：HO元の基地局（セルＡ）は、HO先の基地局（セルＢ）からのHO request Ackメッセージを受信すると、UEへハンドオーバ通知（HO Command）メッセージを送信する。
【０００９】
ステップＳ１０８：UEは、HO先の基地局（セルＢ）との間で、「Random Access Procedure」を行う。なお、「Random Access Procedure」は初期アクセス手順に対応する。
【００１０】
ステップＳ１０９：UEは、「Random Access Procedure」が成功すると、HO先の基地局（セルＢ）へハンドオーバ完了（HO Complete）メッセージを送信する。
【００１１】
LTEシステムにおけるHO失敗事象が非特許文献２に記載されている。図９は、「ハンドオーバタイミングが遅すぎることが原因のハンドオーバ失敗（Too Late HO）」と呼ばれるHO失敗事象を説明するための概念図である。図１０は、「ハンドオーバタイミングが早すぎることが原因のハンドオーバ失敗（Too Early HO）」と呼ばれるHO失敗事象を説明するための概念図である。以下、図９、図１０を参照して、「Too Late HO」、「Too Early HO」を説明する。
【００１２】
「Too Late HO」（図９）：UEが接続基地局（セルＡ）から基地局（セルＢ）へのHO手順を開始する前またはHO手順の途中で、UEと接続基地局（セルＡ）の間で通信断（Radio Link Failure：RLF）が発生し、UEが基地局（セルＢ）へ再接続する事象である。このとき、再接続された基地局（セルＢ）は、基地局（セルＡ）に対して通信断通知（RLF Indication）メッセージを送信する。RLF Indicationメッセージには、失敗が発生したセルの識別子（Failure Cell ID）、再接続されたセルの識別子（Reestablishment Cell ID）およびFailure CellにおけるUEの識別子（Cell Radio Network Temporary Identifier：C-RNTI）が含まれる。
【００１３】
図１１は、LTEシステムにおける「Too Late HO」の発生シーケンスの一例である。図１１では、HO手順の途中（ステップＳ１０７のHO Completeメッセージの送信段階）で、UEと接続基地局（セルＡ）の間でRLFが発生し、「RRC ReEstablishment Procedure」（ステップＳ２０１、Ｓ２０２）が行われる。これにより、UEが基地局（セルＢ）へ再接続すると、基地局（セルＢ）は基地局（セルＡ）に対してRLF Indicationメッセージを送信する（ステップＳ２０３）。この図１１の「Too Late HO」の要因としては、HOタイミングが遅すぎることが考えられる。
【００１４】
「Too Early HO」（図１０）：UEが接続基地局（セルＡ）にMRメッセージを送信することにより基地局（セルＢ）へのHO手順を開始し、HO手順の途中またはHO成功の直後にUEと基地局（セルＢ）の間でRLFが発生し、UEが基地局（セルＡ）へ再接続する事象である。このとき、再接続された基地局（セルＡ）は基地局（セルＢ）に対してRLF Indicationメッセージを送信し、基地局（セルＢ）は、HO手順の終了から一定時間（Tstore_UE_cntxt時間）以内にRLF Indicationメッセージを受信すると、基地局（セルＡ）にHO Reportメッセージを送信する。HO Reportメッセージには、HO失敗事象の種別（Type of detected handover problem：Too Early HO / HO to Wrong Cell）、HO元とHO先のセルの識別子（ECGI of source and target cells in the handover）、再接続先のセルの識別子（ECGI of the re-establishment cell）、及び、HOの原因（Handover cause）が含まれる。
【００１５】
図１２は、LTEシステムにおける「Too Early HO」の発生シーケンスの一例である。図１２では、HO成功の直後にUEと基地局（セルＢ）の間でRLFが発生し、「RRC ReEstablishment Procedure」（ステップＳ３０１、Ｓ３０２）が行われる。これにより、UEが基地局（セルＡ）へ再接続すると、基地局（セルＡ）は基地局（セルＢ）に対してRLF Indicationメッセージを送信する（ステップＳ３０３）。基地局（セルＢ）は、HO手順の終了からTstore_UE_cntxt時間以内にRLF Indicationメッセージを受信すると、基地局（セルＡ）にHO Reportメッセージを送信する（ステップＳ３０４）。この図１２の「Too Early HO」の要因としては、HOタイミングが早すぎることが考えられる。
【００１６】
また、非特許文献３、４、５には、非特許文献２に記載されるHO失敗事象に応じてHOパラメータを調整することにより、UEからMRメッセージを送信するタイミングを調整し、この結果としてHOタイミングを調整する方法が記載されている。
【先行技術文献】
【非特許文献】
【００１７】
【非特許文献１】3GPP TS36.331, v9.3.0. 2010-06.
【非特許文献２】3GPP TS36.300, v9.4.0. 2010-06.
【非特許文献３】“A Handover Optimization Algorithm with Mobility Robustness for LTE systems”, IEEE 22nd International Symposium on Personal, Indoor and Mobile Radio Communications, 2011
【非特許文献４】“LTE におけるハンドオーバ用自己最適化アルゴリズムの性能評価”，2011年電子情報通信学会総合大会，B-5-70
【非特許文献５】“Conflict Avoidance between Mobility Robustness Optimization and Mobility Load Balancing”, Globecom 2010.
【発明の概要】
【発明が解決しようとする課題】
【００１８】
LTEシステムにおいて、HO失敗事象を適切に判定することが課題となっている。
【００１９】
図１３は、LTEシステムにおけるHO失敗事象の発生シーケンスの一例である。図１３では、HO手順の途中（ステップＳ１０８の「Random Access Procedure」段階）で、UEとHO先の基地局（セルＢ）の間でRLFが発生し、「RRC ReEstablishment Procedure」（ステップＳ２０１、Ｓ２０２）が行われる。これにより、UEが基地局（セルＢ）へ再接続すると、基地局（セルＢ）は基地局（セルＡ）に対してRLF Indicationメッセージを送信する（ステップＳ２０３）。このとき、基地局（セルＡ）が基地局（セルＢ）からのRLF Indicationメッセージの受信によって「Too Late HO」と判定することが考えられる。しかしながら、図１３のHO失敗事象は、図１１の場合とは異なり、HOタイミングが早すぎたことがHO失敗事象の要因であると考えられる。従って、図１３のHO失敗事象を「Too Late HO」と判定することは適切ではない。
【００２０】
図１４は、LTEシステムにおけるHO失敗事象の発生シーケンスの一例である。図１４では、HO手順の途中（ステップＳ１０８の「Random Access Procedure」段階）で、UEとHO先の基地局（セルＢ）の間でRLFが発生し、「RRC ReEstablishment Procedure」（ステップＳ３０１、Ｓ３０２）が行われる。これにより、UEが基地局（セルＡ）へ再接続する。この図１４のHO失敗事象は、HOタイミングが早すぎたことがHO失敗事象の要因であると考えられる。しかしながら、図１４では、図１２の場合とは異なり、基地局（セルＡ）は基地局（セルＢ）からのHO Reportメッセージを受信しない。従って、図１２のようにHO Reportメッセージの受信（ステップＳ３０４）によって「Too Early HO」と判定すると、図１４のHO失敗事象は「Too Early HO」とは判定されず、適切ではない。
【００２１】
本発明は、このような事情を考慮してなされたもので、無線通信システムにおけるHO失敗事象を適切に判定できる、ハンドオーバ失敗事象判定装置、ハンドオーバパラメータ調整装置、初期アクセスチャネル調整装置、およびコンピュータプログラムを提供することを課題とする。
【課題を解決するための手段】
【００２２】
（１）本発明に係るハンドオーバ失敗事象判定装置は、無線通信システムにおけるハンドオーバ失敗事象を判定するハンドオーバ失敗事象判定装置において、基地局が通信端末に送信したハンドオーバ通知メッセージに対する応答確認信号（ハンドオーバ通知応答確認信号）を受信するハンドオーバ通知応答確認受信部と、前記ハンドオーバ通知応答確認受信部が受信したハンドオーバ通知応答確認信号に含まれる通信端末の識別子を記憶する記憶部と、前記基地局が受信した通信断通知メッセージに含まれる通信端末の識別子と、前記記憶部に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定部と、を備えたことを特徴とする。
【００２３】
（２）本発明に係るハンドオーバ失敗事象判定装置においては、上記（１）のハンドオーバ失敗事象判定装置において、ハンドオーバ失敗事象「ハンドオーバタイミングが遅すぎることが原因のハンドオーバ失敗」であると判定する条件は、一定時間以降に通信断通知メッセージの受信有り、且つ、ハンドオーバ通知応答確認信号の受信無しである、ことを特徴とする。
【００２４】
（３）本発明に係るハンドオーバ失敗事象判定装置においては、上記（１）又は（２）のハンドオーバ失敗事象判定装置において、前記判定部は、一定時間以降に通信断通知メッセージの受信有り、且つ、ハンドオーバ通知応答確認信号の受信有りの場合には、ハンドオーバ失敗事象「ハンドオーバタイミングが早すぎることが原因のハンドオーバ失敗」であると判定する、ことを特徴とする。
【００２５】
（４）本発明に係るハンドオーバ失敗事象判定装置においては、上記（１）又は（２）のハンドオーバ失敗事象判定装置において、前記判定部は、一定時間以降に通信断通知メッセージの受信有り、且つ、ハンドオーバ通知応答確認信号の受信有りの場合に、ハンドオーバ失敗事象を判定しない、ことを特徴とする。
【００２６】
（５）本発明に係るハンドオーバ失敗事象判定装置は、無線通信システムにおけるハンドオーバ失敗事象を判定するハンドオーバ失敗事象判定装置において、基地局が通信端末に送信したハンドオーバ通知メッセージに対する応答確認信号（ハンドオーバ通知応答確認信号）を受信するハンドオーバ通知応答確認受信部と、前記ハンドオーバ通知応答確認受信部が受信したハンドオーバ通知応答確認信号に含まれる通信端末の識別子を記憶する記憶部と、前記基地局が通信断を検知した通信端末の識別子と、前記記憶部に記憶される通信端末の識別子との比較結果に基づいて、「通信断」又はハンドオーバ失敗事象「ハンドオーバタイミングが早すぎることが原因のハンドオーバ失敗」を判定する判定部と、を備えたことを特徴とする。
【００２７】
（６）本発明に係るハンドオーバ失敗事象判定装置においては、上記（５）のハンドオーバ失敗事象判定装置において、ハンドオーバ失敗事象「ハンドオーバタイミングが早すぎることが原因のハンドオーバ失敗」であると判定する条件は、通信断の検知有りである通信端末が前記基地局への再接続を完了した場合において、当該通信端末からのハンドオーバ通知応答確認信号の受信有りである、ことを特徴とする。
【００２８】
（７）本発明に係るハンドオーバ失敗事象判定装置は、無線通信システムにおけるハンドオーバ失敗事象を判定するハンドオーバ失敗事象判定装置において、基地局が通信端末に送信したハンドオーバ通知メッセージに対する応答確認信号（ハンドオーバ通知応答確認信号）を受信するハンドオーバ通知応答確認受信部と、前記ハンドオーバ通知応答確認受信部が受信したハンドオーバ通知応答確認信号に含まれる通信端末の識別子を記憶する記憶部と、前記基地局が一定時間以降に通信断通知メッセージを受信したことによってハンドオーバ失敗事象「ハンドオーバタイミングが遅すぎることが原因のハンドオーバ失敗」と判定されると、前記通信断通知メッセージに含まれる通信端末の識別子と前記記憶部に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定部と、を備えたことを特徴とする。
【００２９】
（８）本発明に係るハンドオーバ失敗事象判定装置においては、上記（７）のハンドオーバ失敗事象判定装置において、ハンドオーバ失敗事象「ハンドオーバタイミングが遅すぎることが原因のハンドオーバ失敗」であると判定する条件は、ハンドオーバ通知応答確認信号の受信無しである、ことを特徴とする。
【００３０】
（９）本発明に係るハンドオーバ失敗事象判定装置は、無線通信システムにおけるハンドオーバ失敗事象を判定するハンドオーバ失敗事象判定装置において、基地局が通信端末に送信したハンドオーバ通知メッセージに対する応答確認信号（ハンドオーバ通知応答確認信号）を受信するハンドオーバ通知応答確認受信部と、前記ハンドオーバ通知応答確認受信部が受信したハンドオーバ通知応答確認信号に含まれる通信端末の識別子を記憶する記憶部と、前記基地局が通信断を検知した通信端末が前記基地局への再接続を完了したことによって「通信断」と判定されると、前記通信端末の識別子と前記記憶部に記憶される通信端末の識別子との比較結果に基づいて、「通信断」又はハンドオーバ失敗事象「ハンドオーバタイミングが早すぎることが原因のハンドオーバ失敗」を判定する判定部と、を備えたことを特徴とする。
【００３１】
（１０）本発明に係るハンドオーバ失敗事象判定装置においては、上記（９）のハンドオーバ失敗事象判定装置において、ハンドオーバ失敗事象「ハンドオーバタイミングが早すぎることが原因のハンドオーバ失敗」であると判定する条件は、ハンドオーバ通知応答確認信号の受信有りである、ことを特徴とする。
【００３２】
（１１）本発明に係るハンドオーバパラメータ調整装置は、上記（１）から（１０）のいずれかのハンドオーバ失敗事象判定装置を備え、前記ハンドオーバ失敗事象判定装置の判定結果をハンドオーバパラメータの調整に用いることを特徴とする。
【００３３】
（１２）本発明に係るハンドオーバパラメータ調整装置は、上記（１）、（２）、（３）、（４）、（７）、（８）のいずれかのハンドオーバ失敗事象判定装置を備え、前記ハンドオーバ失敗事象判定装置の判定結果のうちハンドオーバ失敗事象「ハンドオーバタイミングが遅すぎることが原因のハンドオーバ失敗」のみをハンドオーバパラメータの調整に用いることを特徴とする。
【００３４】
（１３）本発明に係る初期アクセスチャネル調整装置は、上記（１）、（２）、（３）、（４）、（７）、（８）のいずれかのハンドオーバ失敗事象判定装置を備え、前記ハンドオーバ失敗事象判定装置の判定結果がハンドオーバ失敗事象「ハンドオーバタイミングが早すぎることが原因のハンドオーバ失敗」に相当する場合に、初期アクセスチャネルパラメータの調整を行うことを特徴とする。
【００３５】
（１４）本発明に係るコンピュータプログラムは、無線通信システムにおけるハンドオーバ失敗事象を判定するハンドオーバ失敗事象判定処理を行うためのコンピュータプログラムであって、基地局が通信端末に送信したハンドオーバ通知メッセージに対する応答確認信号（ハンドオーバ通知応答確認信号）を受信するハンドオーバ通知応答確認受信ステップと、前記ハンドオーバ通知応答確認受信ステップで受信したハンドオーバ通知応答確認信号に含まれる通信端末の識別子を記憶手段に記憶する記憶ステップと、前記基地局が受信した通信断通知メッセージに含まれる通信端末の識別子と、前記記憶手段に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定ステップと、をコンピュータに実行させるためのコンピュータプログラムであることを特徴とする。
【００３６】
（１５）本発明に係るコンピュータプログラムは、無線通信システムにおけるハンドオーバ失敗事象を判定するハンドオーバ失敗事象判定処理を行うためのコンピュータプログラムであって、基地局が通信端末に送信したハンドオーバ通知メッセージに対する応答確認信号（ハンドオーバ通知応答確認信号）を受信するハンドオーバ通知応答確認受信ステップと、前記ハンドオーバ通知応答確認受信ステップで受信したハンドオーバ通知応答確認信号に含まれる通信端末の識別子を記憶手段に記憶する記憶ステップと、前記基地局が通信断を検知した通信端末の識別子と、前記記憶手段に記憶される通信端末の識別子との比較結果に基づいて、「通信断」又はハンドオーバ失敗事象「ハンドオーバタイミングが早すぎることが原因のハンドオーバ失敗」を判定する判定ステップと、をコンピュータに実行させるためのコンピュータプログラムであることを特徴とする。
【００３７】
（１６）本発明に係るコンピュータプログラムは、無線通信システムにおけるハンドオーバ失敗事象を判定するハンドオーバ失敗事象判定処理を行うためのコンピュータプログラムであって、基地局が通信端末に送信したハンドオーバ通知メッセージに対する応答確認信号（ハンドオーバ通知応答確認信号）を受信するハンドオーバ通知応答確認受信ステップと、前記ハンドオーバ通知応答確認受信ステップで受信したハンドオーバ通知応答確認信号に含まれる通信端末の識別子を記憶手段に記憶する記憶ステップと、前記基地局が一定時間以降に通信断通知メッセージを受信したことによってハンドオーバ失敗事象「ハンドオーバタイミングが遅すぎることが原因のハンドオーバ失敗」と判定されると、前記通信断通知メッセージに含まれる通信端末の識別子と前記記憶手段に記憶される通信端末の識別子との比較結果に基づいて、ハンドオーバ失敗事象「ハンドオーバタイミングが遅すぎることが原因のハンドオーバ失敗」又は「ハンドオーバタイミングが早すぎることが原因のハンドオーバ失敗」を判定する判定ステップと、をコンピュータに実行させるためのコンピュータプログラムであることを特徴とする。
【００３８】
（１７）本発明に係るコンピュータプログラムは、無線通信システムにおけるハンドオーバ失敗事象を判定するハンドオーバ失敗事象判定処理を行うためのコンピュータプログラムであって、基地局が通信端末に送信したハンドオーバ通知メッセージに対する応答確認信号（ハンドオーバ通知応答確認信号）を受信するハンドオーバ通知応答確認受信ステップと、前記ハンドオーバ通知応答確認受信ステップで受信したハンドオーバ通知応答確認信号に含まれる通信端末の識別子を記憶手段に記憶する記憶ステップと、前記基地局が通信断を検知した通信端末が前記基地局への再接続を完了したことによって「通信断」と判定されると、前記通信端末の識別子と前記記憶手段に記憶される通信端末の識別子との比較結果に基づいて、「通信断」又はハンドオーバ失敗事象「ハンドオーバタイミングが早すぎることが原因のハンドオーバ失敗」を判定する判定部と、をコンピュータに実行させるためのコンピュータプログラムであることを特徴とする。
【発明の効果】
【００３９】
本発明によれば、無線通信システムにおけるHO失敗事象を適切に判定することができる。
【図面の簡単な説明】
【００４０】
【図１】本発明の実施例１に係る基地局１ａの構成例である。
【図２】本発明の実施例１に係るハンドオーバ失敗事象判定処理のフローチャートである。
【図３】本発明の実施例２に係る基地局１ｂの構成例である。
【図４】本発明の実施例２に係るハンドオーバ失敗事象判定処理のフローチャートである。
【図５】本発明の実施例３に係る基地局１ｃの構成例である。
【図６】本発明の実施例４に係る基地局１ｄの構成例である。
【図７】本発明の実施例５に係る基地局１ｅの構成例である。
【図８】LTEシステムにおけるHO手順を示すシーケンス図である。
【図９】HO失敗事象「Too Late HO」を説明するための概念図である。
【図１０】HO失敗事象「Too Early HO」を説明するための概念図である。
【図１１】LTEシステムにおける「Too Late HO」の発生シーケンスの一例である。
【図１２】LTEシステムにおける「Too Early HO」の発生シーケンスの一例である。
【図１３】LTEシステムにおけるHO失敗事象の発生シーケンスの一例である。
【図１４】LTEシステムにおけるHO失敗事象の発生シーケンスの一例である。
【発明を実施するための形態】
【００４１】
以下、図面を参照し、本発明の実施形態について説明する。本実施形態では、無線通信システムの一例としてLTEシステムを挙げて説明する。
【実施例１】
【００４２】
図１は本発明の実施例１に係る基地局１ａの構成例である。図１には、基地局の機能のうち、ハンドオーバ失敗事象判定機能およびハンドオーバパラメータ調整機能に関する部分を示す。図１において、基地局１ａは、ハンドオーバ通知応答確認（HO Command Ack）受信部１１と記憶部１２と判定部１３とRLF Indication受信部１００とHOパラメータ調整部２００を有する。
【００４３】
HO Command Ack受信部１１は、自基地局１ａがUEに送信したHO Commandメッセージに対するAck信号（ハンドオーバ通知応答確認（HO Command Ack）信号）を受信する。このHO Command Ack信号は、図８のステップＳ１０７に対応する応答確認である。LTEシステムでは、MACレイヤにおける無線パケットの応答確認としてAck信号を送信する。
【００４４】
HO Command Ack信号は、当該HO Command Ack信号を送信したUEのC-RNTIを有する。HO Command Ack受信部１１は、受信したHO Command Ack信号に含まれるC-RNTIを記憶部１２に出力する。
【００４５】
記憶部１２は、HO Command Ack受信部１１から入力されたC-RNTIを記憶する。記憶部１２は、判定部１３からC-RNTIが入力されると、当該C-RNTIを保持しているかを確認し、この確認結果を判定部１３へ出力する。記憶部１２は、判定部１３からC-RNTIが入力されたC-RNTIを保持している場合には、判定部１３へAck信号を出力する。
【００４６】
なお、HO失敗事象の判定に用いるという観点から、ある程度時間が経過したC-RNTIは無効にすることが好ましい。例えば、記憶部１２は、C-RNTIを一定時間だけ保持してから消去したり、又は、C-RNTIの記憶容量を一定量に制限して先入れ先だし（FIFO）方式でC-RNTIを保持したりする。また、記憶部１２は、判定部１３に対してAck信号を出力した対象のC-RNTIを消去してもよい。
【００４７】
RLF Indication受信部１００は、自基地局１ａに隣接する基地局（E-UTRAN NodeB：eＮＢ）からのRLF Indicationメッセージを受信する。RLF Indication受信部１００は、受信したRLF Indicationメッセージを判定部１３へ出力する。
【００４８】
判定部１３は、RLF Indication受信部１００から入力されたRLF IndicationメッセージからC-RNTIを取得する。判定部１３は、その取得したC-RNTIを記憶部１２へ出力し、記憶部１２からのAck信号を待つ。判定部１３は、その記憶部１２からのAck信号の有無に基づいて、HO失敗事象「Too Late HO」又は「Too Early HO」を判定する。判定部１３は、HO失敗事象の判定結果をHOパラメータ調整部２００へ出力する。
【００４９】
HOパラメータ調整部２００は、判定部１３から入力されたHO失敗事象の判定結果に基づいて、HOパラメータを調整する。HOパラメータ調整部２００は、調整したHOパラメータを出力する。HOパラメータを調整することによってHOタイミングを調整することができる。
【００５０】
図２は、本発明の実施例１に係るハンドオーバ失敗事象判定処理のフローチャートである。判定部１３は、RLF Indication受信部１００からRLF Indicationメッセージを受信すると、図２のハンドオーバ失敗事象判定処理を開始する。
【００５１】
ステップＳ１：判定部１３は、RLF Indication受信部１００から入力されたRLF Indicationメッセージ内のC-RNTIに該当するUEに関し、当該RLF Indicationメッセージが当該UEのHO手順の終了からTstore_UE_cntxt時間以内に受信されたかを判断する。Tstore_UE_cntxt時間は、図１２に示されるように、HO手順の終了から計時される。ステップＳ１の判断の結果、Tstore_UE_cntxt時間以内に受信された場合には図２の処理を終了する。一方、Tstore_UE_cntxt時間以降に受信された場合にはステップＳ２に進む。
【００５２】
ステップＳ２：判定部１３は、RLF Indication受信部１００から入力されたRLF Indicationメッセージ内のC-RNTIを記憶部１２へ出力し、記憶部１２からのAck信号を待つ。この結果、記憶部１２からAck信号を受信した場合（当該C-RNTIのUEからHO Command Ack信号を受信している場合）にはステップＳ３に進む。一方、記憶部１２からAck信号を受信しない場合（当該C-RNTIのUEからHO Command Ack信号を受信していない場合）にはステップＳ４に進む。
【００５３】
ステップＳ３：判定部１３は、HO失敗事象「Too Early HO」であると判定する。
【００５４】
ステップＳ４：判定部１３は、HO失敗事象「Too Late HO」であると判定する。
【００５５】
本実施例１によれば、HO失敗事象「Too Late HO」であると判定する条件は、Tstore_UE_cntxt時間以降にRLF Indicationメッセージの受信有り、且つ、HO Command Ack信号の受信無しである。これにより、図１３のHO失敗事象のように、HO Commandメッセージの送達が成功した（ステップＳ１０７）後に失敗した場合には、「Too Late HO」とは判定されない。これは、適切な判定である。一方、図１１のHO失敗事象のように、HO Commandメッセージの送達が失敗した（ステップＳ１０７）場合には、適切に「Too Late HO」と判定される。
【００５６】
又、本実施例１によれば、Tstore_UE_cntxt時間以降にRLF Indicationメッセージの受信有り、且つ、HO Command Ack信号の受信有りの場合には、HO失敗事象「Too Early HO」であると判定する。これにより、図１３のHO失敗事象の場合には、HOタイミングが早すぎたことがHO失敗事象の要因であると考えられるので、適切に「Too Early HO」であると判定できる。
【００５７】
なお、本実施例１では、Tstore_UE_cntxt時間以降にRLF Indicationメッセージの受信有り、且つ、HO Command Ack信号の受信有りの場合に、HO失敗事象「Too Early HO」であると判定した（ステップＳ３）が、HO失敗事象を判定しないようにしてもよい。この場合、図２においてステップＳ３は削除となり、Tstore_UE_cntxt時間以降にRLF Indicationメッセージの受信有り、且つ、HO Command Ack信号の受信有りのときには（ステップＳ２、ＹＥＳ）、HO失敗事象の判定結果はなしとなる。
【実施例２】
【００５８】
図３は本発明の実施例２に係る基地局１ｂの構成例である。図３には、基地局の機能のうち、ハンドオーバ失敗事象判定機能およびハンドオーバパラメータ調整機能に関する部分を示す。この図３において図１の各部に対応する部分には同一の符号を付している。図３において、基地局１ｂは、HO Command Ack受信部１１と記憶部１２と判定部２１とRLF検知部１１０とHOパラメータ調整部２００を有する。以下、図１に示す実施例１と異なる部分を説明する。
【００５９】
RLF検知部１１０は、自基地局１ｂに接続しているUEのRLFを検知する。RLF検知部１１０は、RLFを検知したUEのC-RNTIを判定部２１へ出力する。
【００６０】
判定部２１は、RLF検知部１１０から入力されたC-RNTIを記憶部１２へ出力し、記憶部１２からのAck信号を待つ。判定部２１は、その記憶部１２からのAck信号の有無に基づいて、「RLF」又はHO失敗事象「Too Early HO」を判定する。判定部２１は、判定結果をHOパラメータ調整部２００へ出力する。
【００６１】
HOパラメータ調整部２００は、判定部２１から入力された判定結果に基づいて、HOパラメータを調整する。
【００６２】
図４は、本発明の実施例２に係るハンドオーバ失敗事象判定処理のフローチャートである。判定部２１は、RLF検知部１１０からC-RNTIを受信すると、図４のハンドオーバ失敗事象判定処理を開始する。
【００６３】
ステップＳ１１：判定部２１は、RLF検知部１１０から入力されたC-RNTIに該当するUEが自基地局１ｂ（自セル）への再接続を完了したかを判断する。この結果、自セルへの再接続を完了した場合にはステップＳ１２に進む。一方、自セルへの再接続を完了しなかった場合には図４の処理を終了する。
【００６４】
ステップＳ１２：判定部２１は、RLF検知部１１０から入力されたC-RNTIを記憶部１２へ出力し、記憶部１２からのAck信号を待つ。この結果、記憶部１２からAck信号を受信した場合（当該C-RNTIのUEからHO Command Ack信号を受信している場合）にはステップＳ１３に進む。一方、記憶部１２からAck信号を受信しない場合（当該C-RNTIのUEからHO Command Ack信号を受信していない場合）にはステップＳ１４に進む。
【００６５】
ステップＳ１３：判定部２１は、HO失敗事象「Too Early HO」であると判定する。
【００６６】
ステップＳ１４：判定部２１は、「RLF」であると判定する。
【００６７】
本実施例１によれば、RLFの検知有りであるUEが自基地局への再接続を完了した場合において、当該UEからのHO Command Ack信号の受信有りのときには、HO失敗事象「Too Early HO」であると判定する。これにより、図１４のHO失敗事象のように、HOタイミングが早すぎたことがHO失敗事象の要因であると考えられる場合に、適切に「Too Early HO」であると判定できる。
【実施例３】
【００６８】
図５は本発明の実施例３に係る基地局１ｃの構成例である。図５には、基地局の機能のうち、ハンドオーバ失敗事象判定機能およびハンドオーバパラメータ調整機能に関する部分を示す。この図５において図１の各部に対応する部分には同一の符号を付している。図５において、基地局１ｃは、HO Command Ack受信部１１と記憶部１２と判定部１３とRLF Indication受信部１００とToo Late HO判定部１０１とHO Report受信部１２０とToo Early HO判定部１２１とHO to Wrong Cell判定部１２２とHOパラメータ調整部２００を有する。以下、図１に示す実施例１と異なる部分を説明する。
【００６９】
Too Late HO判定部１０１は、RLF Indication受信部１００からRLF Indicationメッセージが入力されると、HO失敗事象「Too Late HO」であると判定する。この判定結果「Too Late HO」及びRLF Indicationメッセージ内のC-RNTIは判定部１３に入力される。
【００７０】
判定部１３は、Too Late HO判定部１０１から判定結果「Too Late HO」及びC-RNTIが入力されると、そのC-RNTIを記憶部１２へ出力し、記憶部１２からのAck信号を待つ。判定部１３は、その記憶部１２からのAck信号の有無に基づいて、HO失敗事象「Too Late HO」又は「Too Early HO」を判定する。この判定は、記憶部１２からのAck信号有りの場合に「Too Early HO」であり、記憶部１２からのAck信号無しの場合に「Too Late HO」である。
【００７１】
HO Report受信部１２０は、自基地局１ａに隣接する基地局からのHO Reportメッセージを受信する。HO Report受信部１２０は、受信したHO ReportメッセージをToo Early HO判定部１２１とHO to Wrong Cell判定部１２２へ出力する。
【００７２】
Too Early HO判定部１２１は、HO Report受信部１２０から入力されたHO Reportメッセージ内のHO失敗事象の種別が「Too Early HO」である場合に、判定結果「Too Early HO」をHOパラメータ調整部２００へ出力する。
【００７３】
HO to Wrong Cell判定部１２２は、HO Report受信部１２０から入力されたHO Reportメッセージ内のHO失敗事象の種別が「HO to Wrong Cell」である場合に、判定結果「HO to Wrong Cell」をHOパラメータ調整部２００へ出力する。
【００７４】
HOパラメータ調整部２００は、各判定部１３、１２１、１２２から入力された判定結果に基づいて、HOパラメータを調整する。
【００７５】
本実施例３によれば、従来のToo Late HO判定部１０１の判定結果を補正することによって、HO失敗事象の適切な判定結果を得ることができる。これにより、従来のハンドオーバ失敗事象判定装置を流用することが可能になる。
【実施例４】
【００７６】
図６は本発明の実施例４に係る基地局１ｄの構成例である。図６には、基地局の機能のうち、ハンドオーバ失敗事象判定機能およびハンドオーバパラメータ調整機能に関する部分を示す。この図６において図３、図５の各部に対応する部分には同一の符号を付している。図６において、基地局１ｄは、HO Command Ack受信部１１と記憶部１２と判定部２１とRLF検知部１１０とRLF判定部１１１とRLF Indication受信部１００とToo Late HO判定部１０１とHO Report受信部１２０とToo Early HO判定部１２１とHO to Wrong Cell判定部１２２とHOパラメータ調整部２００を有する。以下、図３に示す実施例２、及び図５に示す実施例３と異なる部分を説明する。
【００７７】
RLF判定部１１１は、RLF検知部１１０から入力されたC-RNTIに該当するUEが自基地局１ｄへの再接続を完了した場合に、判定結果「RLF」及びC-RNTIを出力する。
【００７８】
判定部２１は、RLF判定部１１１から入力されたC-RNTIを記憶部１２へ出力し、記憶部１２からのAck信号を待つ。判定部２１は、その記憶部１２からのAck信号の有無に基づいて、RLF又はHO失敗事象「Too Early HO」を判定する。この判定は、記憶部１２からのAck信号有りの場合に「Too Early HO」であり、記憶部１２からのAck信号無しの場合に「RLF」である。判定部２１は、判定結果をHOパラメータ調整部２００へ出力する。
【００７９】
HOパラメータ調整部２００は、各判定部２１、１０１、１２１、１２２から入力された判定結果に基づいて、HOパラメータを調整する。
【００８０】
本実施例４によれば、従来のRLF判定部１１１の判定結果を補正することによって、HO失敗事象の適切な判定結果を得ることができる。これにより、従来のハンドオーバ失敗事象判定装置を流用することが可能になる。
【００８１】
なお、実施例３と実施例４を組み合わせてもよい。
【実施例５】
【００８２】
図７は本発明の実施例５に係る基地局１ｅの構成例である。図７には、基地局の機能のうち、ハンドオーバ失敗事象判定機能、ハンドオーバパラメータ調整機能およびRACH（Random Access Channel：）調整機能に関する部分を示す。この図７において図５の各部に対応する部分には同一の符号を付している。図７において、基地局１ｅは、HO Command Ack受信部１１と記憶部１２と判定部１３とRLF Indication受信部１００とToo Late HO判定部１０１とHO Report受信部１２０とToo Early HO判定部１２１とHO to Wrong Cell判定部１２２とHOパラメータ調整部２００とRACH調整部３００を有する。以下、図５に示す実施例３と異なる部分を説明する。なお、RACHは初期アクセスチャネルに対応する。
【００８３】
判定部１３は、Too Late HO判定部１０１から判定結果「Too Late HO」及びC-RNTIが入力されると、そのC-RNTIを記憶部１２へ出力し、記憶部１２からのAck信号を待つ。判定部１３は、その記憶部１２からのAck信号の有無に基づいて、RACH調整指示またはHO失敗事象「Too Late HO」を判定する。この判定は、記憶部１２からのAck信号有りの場合に「RACH調整指示」であり、記憶部１２からのAck信号無しの場合に「Too Late HO」である。なお、「RACH調整指示」は、HO失敗事象「Too Early HO」であると判定することに相当する。
【００８４】
判定部１３は、RACH調整指示をRACH調整部３００へ出力する。判定部１３は、HO失敗事象の判定結果「Too Late HO」をHOパラメータ調整部２００へ出力する。
【００８５】
RACH調整部３００は、判定部１３からRACH調整指示を受信すると、RACHパラメータの調整を行う。RACHパラメータの調整では、自基地局１ｅに隣接するHO先の基地局に対してRACH調整指示を送信する。RACHパラメータの調整では、例えば、Random Access Preambleのターゲット受信電力値（InitialReceivedTargetPower）、再送時における電力増加幅（RmpingStep）、再送間隔（BackOffParameter）などが調整される。
【００８６】
HOパラメータ調整部２００は、各判定部１３、１２１、１２２から入力された判定結果に基づいて、HOパラメータを調整する。但し、本実施例５では、HOパラメータ調整部２００に対押して、判定部１３からは、判定結果「Too Late HO」のみを入力し、判定結果「Too Early HO」を入力しない。この点が図５の実施例３と異なっている。
【００８７】
本実施例５によれば、HO失敗事象の対処としてRACHパラメータの調整を行うことができる。これにより、HO特性の向上およびRACH特性の向上に寄与できる。
【００８８】
以上、本発明の実施形態について図面を参照して詳述してきたが、具体的な構成はこの実施形態に限られるものではなく、本発明の要旨を逸脱しない範囲の設計変更等も含まれる。
【００８９】
なお、本発明は、セルラシステム等の無線通信システムに適用可能である。例えば、LTE規格の無線通信システム（LTEシステム）、LTEアドバンスト規格の無線通信システム（LTEアドバンストシステム）などに本発明を適用することが挙げられる。
【００９０】
また、各実施例に係る各ステップを実現するためのプログラムをコンピュータ読み取り可能な記録媒体に記録して、この記録媒体に記録されたプログラムをコンピュータシステムに読み込ませ、実行することにより、ハンドオーバ失敗事象判定処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００９１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９２】
１ａ，１ｂ，１ｃ，１ｄ，１ｅ…基地局、１１…HO Command Ack受信部、１２…記憶部、１３，２１…判定部、１００…RLF Indication受信部、１０１…Too Late HO判定部、１１０…RLF検知部、１１１…RLF判定部、１２０…HO Report受信部、１２１…Too Early HO判定部、１２２…HO to Wrong Cell判定部、２００…HOパラメータ調整部、３００…RACH調整部
【図１】
2015037280.tif 000003
【図２】
2015037280.tif 000004
【図３】
2015037280.tif 000005
【図４】
2015037280.tif 000006
【図５】
2015037280.tif 000007
【図６】
2015037280.tif 000008
【図７】
2015037280.tif 000009
【図８】
2015037280.tif 000010
【図９】
2015037280.tif 000011
【図１０】
2015037280.tif 000012
【図１１】
2015037280.tif 000013
【図１２】
2015037280.tif 000014
【図１３】
2015037280.tif 000015
【図１４】
2015037280.tif 000016